(57)【要約】【課題】低コストで生体の配置の有無を検出することが可能な、脈波検出装置および脈波検出方法を提供する。【解決手段】脈波検出工程Ｓ７０の前に、検査部に指が配置されているか検出する指配置検出工程Ｓ６０を備え、その指配置検出工程Ｓ６０は、発光部の発光量を大発光量および小発光量に変動させるとともに、受光部により受光する発光・受光工程Ｓ６１と、発光量の変動と受光量の変動との対応性を判断する対応性判断工程Ｓ６２と、大発光量に対応する大受光量と小発光量に対応する小受光量との差が所定値以上の場合に、検査部に指が配置されていると判断する指配置判断工程Ｓ６３と、を有している。【選択図】図４
2009201919.tif 000002
【特許請求の範囲】
【請求項１】
生体が配置される検査部と、
前記検査部に設けられ、前記生体に向けて光を照射する発光部と、
前記検査部に設けられ、前記生体からの後方散乱光を受光する受光部と、を備え、
前記受光部の受光量の変動から、前記生体の脈波を検出する脈波検出装置であって、
前記発光部の発光量を大発光量および小発光量に変動させる発光量制御部と、
前記発光量の変動と前記受光量の変動との対応性を判断する対応性判断部と、
前記大発光量に対応する大受光量と前記小発光量に対応する小受光量との差が所定値以上の場合に、前記検査部に前記生体が配置されていると判断する生体配置判断部と、
を備えることを特徴とする脈波検出装置。
【請求項２】
前記発光量制御部は、前記大発光量および前記小発光量を所定時間において変動させ、
前記対応性判断部は、前記受光量が前記所定時間において変動する場合に、前記発光量の変動と前記受光量の変動とが対応すると判断することを特徴とする請求項１に記載の脈波検出装置。
【請求項３】
前記発光量制御部は、生体配置検出時における前記大発光量を、脈波検出時における発光量より大きくすることを特徴とする請求項１または２に記載の脈波検出装置。
【請求項４】
前記受光部の受光感度を制御する受光量制御部を備え、
前記受光量制御部は、生体配置検出時における受光感度を、脈波検出時における受光感度より大きくすることを特徴とする請求項１または２に記載の脈波検出装置。
【請求項５】
前記受光量を増幅する増幅部と、前記増幅部の増幅率を制御する増幅率制御部とを備え、
前記生体配置判断部は、前記増幅部により増幅された前記大受光量と前記小受光量との差が所定値以上の場合に、前記検査部に前記生体が配置されていると判断し、
前記増幅率制御部は、生体配置検出時における増幅率を、脈波検出時における増幅率より小さくすることを特徴とする請求項１または２に記載の脈波検出装置。
【請求項６】
前記受光量を増幅する増幅部と、前記増幅部の増幅率を制御する増幅率制御部とを備え、
前記生体配置判断部は、前記増幅部により増幅された前記大受光量と前記小受光量との差が所定値以上の場合に、前記検査部に前記生体が配置されていると判断し、
前記発光量制御部は、生体配置検出時における前記大発光量を、脈波検出時における発光量より小さくすることを特徴とする請求項１または２に記載の脈波検出装置。
【請求項７】
前記受光量を増幅する増幅部と、前記増幅部の増幅率を制御する増幅率制御部とを備え、
前記生体配置判断部は、前記増幅部により増幅された前記大受光量と前記小受光量との差が所定値以上の場合に、前記検査部に前記生体が配置されていると判断し、
前記受光部の受光感度を制御する受光量制御部を備え、
前記受光量制御部は、生体配置検出時における受光感度を、脈波検出時における受光感度より小さくすることを特徴とする請求項１または２に記載の脈波検出装置。
【請求項８】
生体が配置される検査部と、
前記検査部に設けられ、前記生体に向けて光を照射する発光部と、
前記検査部に設けられ、前記生体からの後方散乱光を受光する受光部と、を備えた脈波検出装置を用いて、
前記受光部の受光量の変動から、前記生体の脈波を検出する脈波検出工程を有する脈波検出方法であって、
前記脈波検出工程の前に、前記検査部に前記生体が配置されているか検出する生体配置検出工程を備え、
前記生体配置検出工程は、
前記発光部の発光量を大発光量および小発光量に変動させるとともに、前記受光部により受光する発光・受光工程と、
前記発光量の変動と前記受光量の変動との対応性を判断する対応性判断工程と、
前記大発光量に対応する大受光量と前記小発光量に対応する小受光量との差が所定値以上の場合に、前記検査部に前記生体が配置されていると判断する生体配置判断工程と、
を有することを特徴とする脈波検出方法。
【請求項９】
前記発光・受光工程では、前記大発光量および前記小発光量を所定時間において変動させ、
前記対応性判断工程では、前記受光量が前記所定時間において変動する場合に、前記発光量の変動と前記受光量の変動とが対応すると判断することを特徴とする請求項８に記載の脈波検出方法。
【発明の詳細な説明】
【技術分野】
【０００１】
本発明は、脈波検出装置および脈波検出方法に関するものである。
【背景技術】
【０００２】
脈波検出装置として、発光部から指先に向けて光を照射し、指先からの後方散乱光を受光部で受光するものが知られている。この脈波検出装置では、血量変化を受光量変化として検出することにより、脈波を得ている。
従来の脈波検出装置では、ユーザからの指示により脈波計測モードが開始されると、ユーザの指が検査部に配置されているか否かにかかわらず、脈波検出動作を行っている。そのため、無駄な脈波検出動作が継続され、消費電力が増加するという問題がある。
【０００３】
そこで特許文献１には、脈拍センサが皮膚に接触しているか否かを検出する接触検出手段と、接触検出手段により脈拍センサが皮膚に接触していないと検出する場合には、駆動手段により脈拍センサの駆動を停止する脈拍計が記載されている。
【特許文献１】特開２００３−７０７５７号公報
【発明の開示】
【発明が解決しようとする課題】
【０００４】
しかしながら、特許文献１に記載された技術では、接触検出手段を新たに設ける必要があるため、装置のサイズおよびコストが増加するという問題がある。
本発明は、上記のような問題に鑑みてなされたものであり、低コストで生体の配置の有無を検出することが可能な、脈波検出装置および脈波検出方法を提供することを目的とする。
【課題を解決するための手段】
【０００５】
上記の問題を解決するために、本発明の脈波検出装置は、生体が配置される検査部と、前記検査部に設けられ、前記生体に向けて光を照射する発光部と、前記検査部に設けられ、前記生体からの後方散乱光を受光する受光部と、を備え、前記受光部の受光量の変動から、前記生体の脈波を検出する脈波検出装置であって、前記発光部の発光量を大発光量および小発光量に変動させる発光量制御部と、前記発光量の変動と前記受光量の変動との対応性を判断する対応性判断部と、前記大発光量に対応する大受光量と前記小発光量に対応する小受光量との差が所定値以上の場合に、前記検査部に前記生体が配置されていると判断する生体配置判断部と、を備えることを特徴とする。
この発明によれば、脈波検出に使用する既存の発光部や受光部等を用いて、検査部に生体が配置されているか検出することができる。そのため、生体接触検出手段を新たに設ける必要がなく、低コストの脈波検出装置を提供することができる。
【０００６】
また前記発光量制御部は、前記大発光量および前記小発光量を所定時間において変動させ、前記対応性判断部は、前記受光量が前記所定時間において変動する場合に、前記発光量の変動と前記受光量の変動とが対応すると判断することを特徴とする。
検査部に生体が配置されていない場合には、外光が受光部に入射するため受光量がほとんど変動しない。したがって上記構成によれば、検査部に生体が配置されていない場合を確実に排除することができる。
【０００７】
なお前記発光量制御部は、生体配置検出時における前記大発光量を、脈波検出時における発光量より大きくすることが望ましい。
また前記受光部の受光感度を制御する受光量制御部を備え、前記受光量制御部は、生体配置検出時における受光感度を、脈波検出時における受光感度より大きくしてもよい。
これらの発明によれば、大受光量と小受光量との差が大きくなるので、生体配置検出の精度を向上させることができる。
【０００８】
なお前記受光量を増幅する増幅部と、前記増幅部の増幅率を制御する増幅率制御部とを備え、前記生体配置判断部は、前記増幅部により増幅された前記大受光量と前記小受光量との差が所定値以上の場合に、前記検査部に前記生体が配置されていると判断し、前記増幅率制御部は、生体配置検出時における増幅率を、脈波検出時における増幅率より小さくすることが望ましい。
また前記受光量を増幅する増幅部と、前記増幅部の増幅率を制御する増幅率制御部とを備え、前記生体配置判断部は、前記増幅部により増幅された前記大受光量と前記小受光量との差が所定値以上の場合に、前記検査部に前記生体が配置されていると判断し、前記発光量制御部は、生体配置検出時における前記大発光量を、脈波検出時における発光量より小さくしてもよい。
また前記受光量を増幅する増幅部と、前記増幅部の増幅率を制御する増幅率制御部とを備え、前記生体配置判断部は、前記増幅部により増幅された前記大受光量と前記小受光量との差が所定値以上の場合に、前記検査部に前記生体が配置されていると判断し、前記受光部の受光感度を制御する受光量制御部を備え、前記受光量制御部は、生体配置検出時における受光感度を、脈波検出時における受光感度より小さくしてもよい。
生体配置検出時における受光量の変動は、脈波検出時における受光量の変動に比べ、極めて大きい。これらの発明によれば、生体配置検出時における受光量の変動を、脈波検出時における受光量の変動と同様に取り扱うことができる。
【０００９】
一方、本発明の脈波検出方法は、生体が配置される検査部と、前記検査部に設けられ、前記生体に向けて光を照射する発光部と、前記検査部に設けられ、前記生体からの後方散乱光を受光する受光部と、を備えた脈波検出装置を用いて、前記受光部の受光量の変動から、前記生体の脈波を検出する脈波検出工程を有する脈波検出方法であって、前記脈波検出工程の前に、前記検査部に前記生体が配置されているか検出する生体配置検出工程を備え、前記生体配置検出工程は、前記発光部の発光量を大発光量および小発光量に変動させるとともに、前記受光部により受光する発光・受光工程と、前記発光量の変動と前記受光量の変動との対応性を判断する対応性判断工程と、前記大発光量に対応する大受光量と前記小発光量に対応する小受光量との差が所定値以上の場合に、前記検査部に前記生体が配置されていると判断する生体配置検出工程と、を有することを特徴とする。
この発明によれば、脈波検出に使用する発光部や受光部等を用いて、検査部に生体が配置されているか判断することができる。そのため、生体接触検出手段を新たに使用する必要がなく、低コストの脈波検出方法を提供することができる。
【００１０】
また前記発光・受光工程では、前記大発光量および前記小発光量を所定時間において変動させ、前記対応性判断工程では、前記受光量が前記所定時間において変動する場合に、前記発光量の変動と前記受光量の変動とが対応すると判断することを特徴とする。
検査部に生体が配置されていない場合には、外光が受光部に入射するため受光量がほとんど変動しない。したがって上記構成によれば、検査部に生体が配置されていない場合を確実に排除することができる。
【発明の効果】
【００１１】
本発明の脈波検出装置によれば、脈波検出に使用する既存の発光部や受光部等を用いて、検査部に生体が配置されているか判断することができる。そのため、生体接触検出手段を新たに設ける必要がなく、低コストの脈波検出装置を提供することができる。
【発明を実施するための最良の形態】
【００１２】
以下では、本発明の実施形態について添付図面を参照して説明する。
（脈波検出装置）
図１は、脈波検出装置の検査部の概略構成を示す側面断面図である。脈波検出装置の検査部３０は、上部ケース３６および下部ケース３０２により外郭が構成され、その内側に部品収納空間３００を備えている。上部ケース３６の中央部には、ガラス材料等からなる透光板３４が設けられている。部品収納空間３００の内側には、透光板３４と対向するように、回路基板３５が配置されている。回路基板３５には、発光ダイオード等の光源からなる発光部３１と、フォトダイオード等からなる受光部３２とが設けられている。なお上部ケース３６および下部ケース３０２によりブッシュ３９３が挟持され、このブッシュ３９３にケーブル２０が保持され、ケーブル２０の配線が回路基板３５に接続されている。このケーブル２０を介して、検査部３０の外側から発光部３１および受光部３２の動作を制御しうるようになっている。
【００１３】
脈波検出時には、検査部３０の透光板３４の表面に指１の腹部を配置する。そして、発光部３１から指１に向けて光Ｃを照射する。照射された光Ｃは、指１の組織や血管２を流れる血液によって吸収および散乱され、後方散乱光Ｄの一部が受光部３２によって受光される。すなわち受光部３２の受光量は、血管２を流れる血液量によって変動することになる。そこで、受光部による受光量の時間変化を測定することにより、脈波を検出することができるようになっている。
【００１４】
図２は、脈波検出装置のブロック図である。脈波検出装置１０の検査部３０は、上述した発光部３１および受光部３２のほかに、発光部３１の発光量を制御する発光量制御部３１ａと、受光部３２の受光感度を制御する受光量制御部３２ａとを備えている。なお受光部３２は、受光量に対応した受光信号（電気信号）を出力する。その受光信号から脈波信号を取り出すため、フィルタ部３７が設けられている。フィルタ部３７は、受光信号の直流成分および高周波ノイズをカットするため、バンドパスフィルタで構成されている。さらに、フィルタ部３７が出力した受光信号を増幅する増幅部３８と、増幅部３８の増幅率を制御する増幅率制御部３８ａが設けられている。上述した発光量制御部３１ａや受光量制御部３２ａ、フィルタ部３７、増幅部３８、増幅率制御部３８ａ等は、回路基板３５に実装されたＩＣ等で構成することが可能である。
【００１５】
検査部３０の外部には、ＣＰＵ６０が設けられている。ＣＰＵ６０は、発光量制御部３１ａ、受光量制御部３２ａおよび増幅率制御部３８ａの動作を制御するとともに、受光部３２および増幅部３８から入力された受光信号に基づいて脈波を検出する。そのためＣＰＵ６０は、発光量の変動と受光量の変動との対応性を判断する対応性判断部６２と、検査部に生体が配置されているか判断する指配置判断部６４とを備えている。対応性判断部６２および指配置判断部６４の具体的な機能については後に詳述する。
【００１６】
ＣＰＵ６０には、記憶部５２、入力部５４、出力部５５および発振部５７が接続されている。記憶部５２には、脈波検出装置の構成要素の動作条件等が記録されている。入力部５４は、脈波検出の開始命令等を入力するものであり、キーボードやボタン等で構成されている。出力部５５は、検出された脈波等を表示するものであり、ディスプレイやプリンタ等で構成されている。発振部５７は、ＣＰＵ６０にクロック信号を出力するものである。なおＣＰＵ６０や記憶部５２、入力部５４、出力部５５、発振部５７は、パーソナルコンピュータ等で構成することが可能である。
【００１７】
脈波検出時には、入力部５４からＣＰＵ６０に脈波検出の開始命令を入力する。なお記憶部５２には、脈波検出時における発光部３１の発光量が記録されている。そこでＣＰＵ６０は、記憶部５２から脈波検出時の発光量を読み出し、発光量制御部３１ａに出力する。発光量制御部３１ａは、入力された発光量にしたがって発光部３１を発光させる。
一方、記憶部５２には、脈波検出時における受光部３２の受光感度が記録されている。そこでＣＰＵ６０は、記憶部５２から脈波検出時の受光感度を読み出し、受光量制御部３２ａに出力する。受光量制御部３２ａは、入力された受光感度にしたがって受光部３２を駆動し、指１からの後方散乱光を受光する。
【００１８】
受光部３２は、受光量を受光信号（電気信号）に変換し、フィルタ部３７に出力する。フィルタ部３７は、受光信号の直流成分および高周波ノイズをカットして増幅部３８に出力する。なお記憶部５２には、脈波検出時における増幅部３８の増幅率が記録されている。そこでＣＰＵ６０は、記憶部５２から脈波検出時の増幅率を読み出し、増幅率制御部３８ａに出力する。増幅率制御部３８ａは、入力された増幅率にしたがって増幅部３８を駆動する。増幅部３８は、受光信号を増幅してＣＰＵ６０に出力する。ＣＰＵ６０は、入力された受光信号から脈波検出結果を生成する。
【００１９】
図３は、脈波検出結果を示すグラフである。なお図３以下のグラフでは、横軸に時間をとり、縦軸に増幅部から出力された受光信号（電気信号）のレベル（電圧Ｖ）をとって示している。上述したように、発光部から指に向かって照射された光は、血管内を流れる血液によって吸収される。そのため、指からの後方散乱光は、血管内を血液が流れている瞬間に小さくなり、流れていない瞬間に大きくなる。そこで本実施形態では、受光部の受光量が小さい（暗い）ほど受光信号のレベルが大きくなるように、受光量が大きい（明るい）ほど受光信号のレベルが小さくなるように、受光信号を設定している。これにより、図３のグラフの縦軸は血管内の血流量に対応するので、図３のグラフは脈波検出結果を示している。
ＣＰＵ６０により生成された脈波検出結果は、図２に示す出力部５５に出力される。なおＣＰＵ６０は、得られた脈波から脈拍数等を算出して、出力部５５に出力してもよい。
【００２０】
（指配置検出工程）
図４は、本実施形態に係る脈波検出方法のフローチャートである。上述した脈波検出は、検査部に指を配置した状態で行う必要がある。そこで本実施形態に係る脈波検出方法では、脈波検出工程Ｓ７０の前に、指配置検出工程Ｓ６０を行う。指配置検出工程Ｓ６０では、まずＳ６１において指配置検出用の発光動作および受光動作を行う（発光・受光工程）。
【００２１】
図５（ａ）は指配置検出用の発光動作のグラフであり、図５（ｂ）は指が配置されている場合の受光結果のグラフである。図５（ａ）に示すように、指配置検出用の発光動作として発光部の発光量を変化させ、所定時間ごとに大発光量および小発光量を繰り返す。大発光量時には、脈波検出時と同じ光量で発光部を点灯（ＯＮ）し、小発光量時には、発光部を消灯（ＯＦＦ）する。
図５（ｂ）に示すように、検査部に指が配置されている状態では、発光量の変動にともなって受光量が変動する。大発光量時には、受光量が大きく（明るく）なるため受光信号レベルが小さくなり、小発光量時には、受光量が小さく（暗く）なるため受光信号レベルが大きくなる。なお発光部の発光量の変動に対応する受光量の変動に比べて、脈波による受光量の変動は極めて小さい。
【００２２】
図６（ｂ）は指が配置されていない場合の受光結果のグラフである。図６（ｂ）に示すように、検査部に指が配置されていない状態では、発光量が変動しても受光量はほとんど変動しない。指が配置されている状態では、受光部への外光の入射が指によって遮断されるが、指が配置されていない状態では、受光部に外光が入射するからである。なお外光の光量は、発光部から受光部に直接入射する光量に比べて大きいので、発光量が変化しても受光量はほとんど変化しない。
【００２３】
図４に戻り、次にＳ６２において、発光量の変動と受光量の変動との対応性を判断する（対応性判断工程）。
図５（ａ）に示すように、時間Ｔ１〜Ｔ４にかけて、発光部は大発光量の状態および小発光量の状態を繰り返す。そこで、同じ時間Ｔ１〜Ｔ４にかけて、受光部が大受光量の状態および小受光量の状態を繰り返すか判断する。図５（ｂ）に示すように、Ｔ１〜Ｔ４にかけて大受光量の状態および小受光量の状態を繰り返す場合には、発光部から照射された光の後方散乱光を受光部が受光していると考えられる。この場合には、発光動作と受光結果との対応性ありと判断する。
これに対して、図６（ｂ）に示すように、Ｔ１〜Ｔ４にかけて大受光量および小受光量が繰り返されない場合には、発光部以外からの外光を受光部が受光していると考えられる。この場合には、発光動作と受光結果との対応性なしと判断する。
【００２４】
なお、発光動作はコード化して行うことが望ましい。いま、大発光量（大受光量）の状態を「１」とし、小発光量（小受光量）の状態を「０」とする。図５（ａ）の発光動作は、「１０１０１０・・・」のように規則的であるが、コード化された発光動作は、例えば「１１０１００・・・」のように不規則になる。そして、受光結果が同じ「１１０１００・・・」となった場合に、発光動作と受光結果との対応性ありと判断する。このように発光動作をコード化することにより、発光動作と受光結果との対応性の判断精度を向上させることができる。
【００２５】
図４に戻り、Ｓ６２の判断がＮｏ（対応性なし）の場合には、Ｓ６６に進み、検査部に指が配置されていないと判断する。この場合、そのまま処理を終了してもよいし、所定時間後に再び指配置検出工程Ｓ６０を実施してもよい。
これに対して、Ｓ６２の判断がＹｅｓ（対応性あり）の場合には、Ｓ６３に進む。
ところで、発光動作と受光結果との対応性がある場合でも、検査部に指が配置されていない場合があり得る。例えば夜間など外光が弱い状態では、発光部から受光部に直接入射した光により受光量が変化するので、発光動作と受光結果との対応性ありと判断される場合がある。
【００２６】
そこで、次にＳ６３において、大発光量に対応する大受光量と、小発光量に対応する小受光量との差（Ｇ）が、所定値（Ｔｈ）以上であるか判断する（生体配置判断工程）。図５（ｂ）に示すように、検査部に指が配置されている場合には、大受光量と小受光量との差（Ｇ１）が大きくなる。これに対して、検査部に指が配置されておらず、発光部から受光部に直接入射した光により受光量が変化している場合には、大受光量と小受光量との差（Ｇ２）が小さくなる。そこで、Ｇ１＞Ｔｈ＞Ｇ２となるように、所定値Ｔｈを設定しておく。そして、Ｓ６３の判断がＮｏ（Ｔｈ＞Ｇ）の場合には、Ｓ６６に進み、検査部に指が配置されていないと判断する。
これに対して、Ｓ６２の判断がＹｅｓ（Ｇ≧Ｔｈ）の場合には、Ｓ６５に進み、検査部に指が配置されていると判断する。この場合にはＳ７０に進み、上述した脈波検出工程Ｓ７０を行う。
【００２７】
ところで、指配置検出工程における受光結果として、脈波検出工程における受光結果と同様に、図２に示す増幅部３８からの出力３８ｂを採用することが可能である。ただし脈波検出工程では、脈動に対応する受光量の微細な変化を検出するため、上述した増幅操作を行っている。ところが、指配置検出工程における受光量の変動は、脈波検出工程における受光量の変動に比べ、極めて大きい。そこで、指配置検出工程における増幅率を、脈波検出工程における増幅率より小さくすることが望ましい。具体的には、ＣＰＵ６０が記憶部５２から指配置検出時の増幅率を読み出し、増幅率制御部３８ａに出力する。増幅率制御部３８ａは入力された増幅率にしたがって増幅部３８を駆動する。なお、指配置検出工程における受光感度を、脈波検出工程における受光感度より小さくしてもよい。また、指配置検出工程における発光量を、脈波検出工程における発光量より小さくしてもよい。これらにより、生体配置検出時における受光結果を、脈波検出時における受光結果と同様に取り扱うことができる。
【００２８】
上述したように、指配置検出工程における受光量の変動は、脈波検出工程における受光量の変動に比べ、極めて大きい。そこで指配置検出工程における受光結果として、受光部３２からの出力３２ｂを、増幅することなく直接採用してもよい。この場合、指配置検出工程における大発光量を、脈波検出工程における発光量より大きくすることが望ましい。
図７（ｂ）は、大発光量を増加させた発光動作のグラフである。図７（ｂ）のグラフでは、指配置検出工程における大発光量（Ｖ11）を、脈波検出工程における発光量（Ｖ1）より大きくしている。大発光量を増加させることより、大発光量と小発光量との差が大きくなり、大受光量と小受光量との差も大きくなるので、指配置検出の精度を向上させることができる。なお、指配置検出工程における受光感度を、脈波検出工程における受光感度より大きくしてもよい。
【００２９】
以上に詳述したように、図２に示す本実施形態に係る脈波検出装置は、発光部３１の発光量を大発光量および小発光量に変動させる発光量制御部３１ａと、発光量の変動と受光量の変動との対応性を判断する対応性判断部６２と、大発光量に対応する大受光量と小発光量に対応する小受光量との差が所定値以上の場合に、検査部に指１が配置されていると判断する指配置判断部６４と、を備えることを特徴とする。
この構成によれば、既存の発光部３１や受光部３２等を用いて、検査部に指１が配置されているか確認することができる。そのため、接触検出手段を新たに設ける必要がなく、低コストの脈波検出装置１０を提供することができる。
【００３０】
また発光量制御部３１ａは、大発光量および小発光量を所定時間で変動させ、対応性判断部６２は、大受光量および小受光量が前記所定時間で変動する場合に、発光量の変動と受光量の変動とが対応すると判断する構成とした。
検査部に指１が配置されていない場合には、外光が受光部３２に入射するため受光量がほとんど変動しない。したがって上記構成によれば、検査部に指１が配置されていない場合を確実に排除することができる。
【００３１】
なお、本発明の技術範囲は、上述した実施形態に限定されるものではなく、本発明の趣旨を逸脱しない範囲において、上述した実施形態に種々の変更を加えたものを含む。すなわち、実施形態で挙げた具体的な材料や層構成などはほんの一例に過ぎず、適宜変更が可能である。
例えば、上述した実施形態では生体として指を配置する場合を例に説明したが、指以外の生体を配置することも可能である。
また、上述した実施形態では発光部の発光量を大発光量および小発光量の２段階に変動させたが、３段階以上に変動させてもよい。
【図面の簡単な説明】
【００３２】
【図１】脈波検出装置の検査部の概略構成を示す側面断面図である。
【図２】脈波検出装置のブロック図である。
【図３】脈波検出結果を示すグラフである。
【図４】実施形態に係る脈波検出方法のフローチャートである。
【図５】（ａ）は指配置検出用の発光動作のグラフであり、（ｂ）は指が配置されている場合の受光結果のグラフである。
【図６】（ａ）は指配置検出用の発光動作のグラフであり、（ｂ）は指が配置されていない場合の受光結果のグラフである。
【図７】（ａ）は指配置検出用の発光動作のグラフであり、（ｂ）は大発光量を増加させた発光動作のグラフである。
【符号の説明】
【００３３】
Ｓ６０…指配置検出工程（生体配置検出工程）  Ｓ６１…発光・受光工程  Ｓ６２…対応性判断工程  Ｓ６３…指配置判断工程（生体配置判断工程）  Ｓ７０…脈波検出工程
１…指（生体）  １０…脈波検出装置  ３０…検査部  ３１…発光部  ３１ａ…発光量制御部  ３２…受光部  ３２ａ…受光量制御部  ３８…増幅部  ３８ａ…増幅率制御部  ５２…記憶部  ５４…入力部  ５５…出力部  ５７…発振部  ６０…ＣＰＵ  ６２…対応性判断部  ６４…指配置判断部（生体配置判断部）
【図１】
2009201919.tif 000003
【図２】
2009201919.tif 000004
【図３】
2009201919.tif 000005
【図４】
2009201919.tif 000006
【図５】
2009201919.tif 000007
【図６】
2009201919.tif 000008
【図７】
2009201919.tif 000009